(57)【要約】      （修正有）【課題】雌雄ネジ部をプレス方式で複合成形するプレス式雌雄ネジ部複合成形システムを提供する。【解決手段】内側カム１に対する傾斜面運動によって拡張して被加工物Ａの内周面に雌ネジ部を成形するように構成される拡張型コレットコア部１０と、拡張型コレットコア部１０と向き合うように取り付けられ、外側カム２に対する傾斜面運動によって収縮して被加工物Ａの外周面に雄ネジ部を成形するように構成される収縮型コレットコア部２０とを含み、拡張型コレットコア部１０の拡張成形力と収縮型コレットコア部２０の収縮成形力が被加工物Ａの内外周面で互いに逆方向に同時に作用して雌雄ネジ部をプレス成形する。【選択図】図１
0003221080.tif 000002
【実用新案登録請求の範囲】
【請求項１】
内側カム（１）に対する傾斜面運動によって拡張して被加工物（Ａ）の内周面に雌ネジ部（Ａ１）を成形するように構成される拡張型コレットコア部（１０）と、
前記拡張型コレットコア部（１０）と向き合うように取り付けられ、外側カム（２）に対する傾斜面運動によって収縮して被加工物（Ａ）の外周面に雄ネジ部（Ａ２）を成形するように構成される収縮型コレットコア部（２０）とを含み、
前記拡張型コレットコア部（１０）の拡張成形力と収縮型コレットコア部（２０）の収縮成形力が被加工物（Ａ）の内外周面で互いに逆方向に同時に作用して雌雄ネジ部（Ａ１）、（Ａ２）をプレス成形することを特徴とする、プレス式雌雄ネジ部複合成形システム。
【請求項２】
前記拡張型コレットコア部（１０）は、内側カム（１）に沿って移送されるレールブロック（１２）と、被加工物（Ａ）の内周面に押圧されるように円形に配置されて雌ネジ部（Ａ１）を成形する複数の内径ネジ切りコア（１４）と、レールブロック（１２）と内径ネジ切りコア（１４）を連結する弾性片（１６）と含んでなり、内径ネジ切りコア（１４）の内周面には内側カム（１）に対して傾斜運動する傾斜面（１８）を備えることを特徴とする、請求項１に記載のプレス式雌雄ネジ部複合成形システム。
【請求項３】
前記収縮型コレットコア部（２０）は、外側カム（２）に沿って移送されるレールブロック（２２）と、被加工物（Ａ）の外周面に押圧されるように円形に配置されて雄ネジ部（Ａ２）を成形する複数の外径ネジ切りコア（２４）と、レールブロック（２２）と外径ネジ切りコア（２４）を連結する弾性片（２６）とを含んでなり、外径ネジ切りコア（２４）の外周面には外側カム（２）に対して傾斜運動する傾斜面（２８）を備えることを特徴とする、請求項１に記載のプレス式雌雄ネジ部複合成形システム。
【請求項４】
前記収縮型コレットコア部（２０）は、ガイドシャンク（２９）に支持されて外側カム（２）に沿って雄ネジ部（Ａ２）の成形位置まで移動すれば、外側カム（２）の移送力によって収縮して被加工物（Ａ）の外周面に雄ネジ部（Ａ２）を成形するように構成されることを特徴とする、請求項１〜３のいずれか一項に記載のプレス式雌雄ネジ部複合成形システム。
【請求項５】
前記外側カム（２）は固定型として構成され、収縮型コレットコア部（２０）は内側カム（１）の移送力によって押圧されて外側カム（２）の内側に移動しながら収縮力が発生して被加工物（Ａ）の外周面に雄ネジ部（Ａ２）を成形するように構成されることを特徴とする、請求項１〜３のいずれか一項に記載のプレス式雌雄ネジ部複合成形システム。
【請求項６】
前記収縮型コレットコア部（２０）は、外側カム（２）に対する傾斜面運動によって収縮して被加工物（Ａ）の外周面に雄ネジ部（Ａ２）を成形すれば、外側カム（２）とともに被加工物（Ａ）の外周面に沿って螺旋運動するように構成されることを特徴とする、請求項１〜３のいずれか一項に記載のプレス式雌雄ネジ部複合成形システム。
【考案の詳細な説明】
【技術分野】
【０００１】
本考案はプレス式雌雄ネジ部複合成形システムに係り、より詳しくは拡張型コレットコア部の拡張成形力と収縮型コレットコア部の収縮成形力を被加工物の内外周面で互いに逆方向に同時に作用して雌雄ネジ部をプレス方式で複合成形するドラム缶栓用のプレス式雌雄ネジ部複合成形システムに関する。
【背景技術】
【０００２】
通常、ネジ部は円形の外径又は孔の内周面に沿って螺旋状の溝が切削され、回転力によって締結力を提供する構成であり、主に機械部品の締結や固定のために又は容器の栓の加工などに広く使われている。しかし、ネジ部の大部分が旋削のような切削工程によって製造されることによって生産性が低下し、特にドラム缶のような容器栓用に適用されるネジ部の場合、高い精密度を要求しない条件の下でもネジ部が切削成形されることによって生産性が低下し、製造コストが上昇する問題点があった。
【０００３】
よって、従来に開示された韓国登録特許第１０−１０９２０２０号公報には、ドラム缶の流出孔に締結固定される雌型栓を加工して成形する過程で、油類（液体含み）の出入のために不可避に切断して捨てる中心部の孔部分（円形スクラップ）の金属板材を捨てず、一定の厚さを有する単一金属板材（原資材）で雌型栓の深みと前記の雌型栓にネジ開閉される雄型栓の深みを合わせた深みを有するように単一金型でプレスしてコップ状の雌雄型栓を一体に成形し、これを雌型ブランクと雄型ブランクに切断分割し、それぞれネジ転造方式で雌ネジと雄ネジを加工成形することにより、雌型栓を成形するときに無駄に捨てられて来た円形スクラップによる金属板材（原資材）を節減するとともに、一つの金属板材で雌雄型栓を転造方式で加工成形することにより、生産コストを節減するとともに成形作業の能率を極大化する技術が先に登録されたことがある。
【０００４】
しかし、前記のような従来技術はネジ転造機を用いてドラム缶の雌雄型栓を成形する技術であるが、ネジ転造機の特性上、素材をネジ形の凹凸を有する２個の回転ダイスの間に挿入し、力を加えて切削せず、塑性変形によって雄ネジの螺糸山を加工する方式であり、加工時間が伸ばされる問題点があった。
【０００５】
それだけでなく、雄ネジ部の成形時には被加工物の外周面に雄ネジ用回転ダイスが接触し、雌ネジ部の成形時には被加工物の内周面に雌ネジ用回転ダイスが挿入配置されなければならないので、雌雄ネジ部の成形が別途の製造装置又は製造ラインによって行われることにより、生産設備の構築に多大なコストがかかり、よって大部分の零細メーカーでは、単一転造機上で回転ダイスを交替して雌雄ネジ部の成形作業を交互に実施するため、作業の転換が煩わしくて生産性の向上に限界があった。
【先行技術文献】
【特許文献】
【０００６】
【特許文献１】韓国登録特許第１０−１０９２０２０号公報
【考案の概要】
【考案が解決しようとする課題】
【０００７】
したがって、本考案は前述したような問題点を解決するためになされたもので、拡張型コレットコア部の拡張成形力と収縮型コレットコア部の収縮成形力が被加工物の内外周面で互いに逆方向に同時に作用して雌雄ネジ部をプレス方式で複合成形するプレス式雌雄ネジ部複合成形システムを提供することに目的がある。
【課題を解決するための手段】
【０００８】
このような目的を達成するために、本考案のプレス式雌雄ネジ部複合成形システムは、内側カムに対する傾斜面運動によって拡張して被加工物の内周面に雌ネジ部を成形するように構成される拡張型コレットコア部と、前記拡張型コレットコア部と向き合うように取り付けられ、外側カムに対する傾斜面運動によって収縮して被加工物の外周面に雄ネジ部を成形するように構成される収縮型コレットコア部とを含み、前記拡張型コレットコア部の拡張成形力と収縮型コレットコア部の収縮成形力が被加工物の内外周面で互いに逆方向に同時に作用して雌雄ネジ部をプレス成形することを特徴とする。
【０００９】
前記拡張型コレットコア部は、内側カムに沿って移送されるレールブロックと、被加工物の内周面に押圧されるように円形に配置されて雌ネジ部を成形する複数の内径ネジ切りコアと、レールブロックと内径ネジ切りコアを連結する弾性片と含んでなり、内径ネジ切りコアの内周面には内側カムに対して傾斜運動する傾斜面を備えることができる。
【００１０】
前記収縮型コレットコア部は、外側カムに沿って移送されるレールブロックと、被加工物の外周面に押圧されるように円形に配置されて雄ネジ部を成形する複数の外径ネジ切りコアと、レールブロックと外径ネジ切りコアを連結する弾性片とを含んでなり、外径ネジ切りコアの外周面には外側カムに対して傾斜運動する傾斜面を備えることができる。
【００１１】
前記収縮型コレットコア部は、ガイドシャンクに支持されて外側カムに沿って雄ネジ部の成形位置まで移動すれば、外側カムの移送力によって収縮して被加工物の外周面に雄ネジ部を成形するように構成されることができる。
【００１２】
前記外側カムは固定型として構成され、収縮型コレットコアは内側カムの移送力によって押圧されて外側カムの内側に移動しながら収縮力が発生して被加工物の外周面に雄ネジ部を成形するように構成されることができる。
【００１３】
前記収縮型コレットコアは、外側カムに対する傾斜面運動によって収縮して被加工物の外周面に雄ネジ部を成形すれば、外側カムとともに被加工物の外周面に沿って螺旋運動するように構成されることができる。
【考案の効果】
【００１４】
以上の構成及び作用によれば、本考案は、拡張型コレットコア部の拡張成形力と収縮型コレットコア部の収縮成形力が被加工物の内外周面で互いに逆方向に同時に作用して雌雄ネジ部をプレス方式で複合成形する。すなわち、内外径ネジ切りコアの雌雄ネジ加工型を被加工物を挟んで互いに噛み合う位置でプレス押圧して雌雄ネジ部を簡単で速やかに成形する効果がある。
【図面の簡単な説明】
【００１５】
【図１】本考案の一実施例によるプレス式雌雄ネジ部複合成形システムを全体的に示す構成図である。
【図２】本考案の一実施例によるプレス式雌雄ネジ部複合成形システムの作動手順を示す構成図である。
【図３】本考案の他の実施例によるプレス式雌雄ネジ部複合成形システムの作動手順を示す構成図である。
【図４】本考案の他の実施例によるプレス式雌雄ネジ部複合成形システムの収縮型コレットコア部の螺旋運動状態を示す構成図である。
【考案を実施するための形態】
【００１６】
以下、添付図面に基づいて本考案の好適な実施例を詳細に説明する。
【００１７】
図１は本考案の一実施例によるプレス式雌雄ネジ部複合成形システムを全体的に示す構成図、図２は本考案の一実施例によるプレス式雌雄ネジ部複合成形システムの作動手順を示す構成図、図３は本考案の他の実施例によるプレス式雌雄ネジ部複合成形システムの作動手順を示す構成図、図４は本考案の他の実施例によるプレス式雌雄ネジ部複合成形システムの収縮型コレットコア部の螺旋運動状態を示す構成図である。
【００１８】
本考案はプレス式雌雄ネジ部複合成形システムに係る。ここで、プレス式雌雄ネジ部複合成形システムは、拡張型コレットコア部の拡張成形力と収縮型コレットコア部の収縮成形力が被加工物の内外周面で互いに逆方向に同時に作用して雌雄ネジ部をプレス方式で複合成形するために、拡張型コレットコア部１０及び収縮型コレットコア部２０を主要構成として含む。一方、本考案において、被加工物Ａはドラム缶のコップ状栓を一例として説明しているが、これに限定されず、管状素材の内外周面に雌雄ネジ部が形成された部品に広く適用可能である。
【００１９】
本考案による拡張型コレットコア部１０は、内側カム１に対する傾斜面運動によって拡張して被加工物Ａの内周面に雌ネジ部Ａ１を成形するように構成される。前記拡張型コレットコア部１０は、内側カム１に沿って移送されるレールブロック１２と、被加工物Ａの内周面に押圧されるように円形に配置されて雌ネジ部Ａ１を成形する複数の内径ネジ切りコア１４と、レールブロック１２と内径ネジ切りコア１４を連結する弾性片１６とからなり、内径ネジ切りコア１４の内周面には内側カム１に対して傾斜運動する傾斜面１８を含む。ここで、内径ネジ切りコア１４の外周面には雌ネジ部Ａ１を成形するための雄ネジ形の型が形成される。
【００２０】
ここで、前記内径ネジ切りコア１４は少なくとも３ヶ所に等間隔で離隔して配置され、それぞれの内径ネジ切りコア１４は弾性片１６によって収縮力を受けるように構成される。よって、拡張型コレットコア部１０が被加工物Ａの内部に挿入されるときには複数の内径ネジ切りコア１４が収縮して干渉なしに進入し、その後に内側カム１が下方に移送されれば、内径ネジ切りコア１４の内周面の傾斜面１８が内側カム１に対して傾斜面運動して複数の内径ネジ切りコア１４が拡張して被加工物Ａの内周面に押圧されて雌ネジ部Ａ１を成形する。
【００２１】
そして、前記レールブロック１２は内径ネジ切りコア１４より拡張した外径を有するように形成されて被加工物Ａの進入深みを決定するストッパーとして用いられるので、大量生産の際、レールブロック１２によって被加工物Ａの進入深みが常に一定に維持されるので、雌ネジ部Ａ１の成形品質が均一に維持される。
【００２２】
一方、前記レールブロック１２は、内側カム１の外周面に備えられるストップリングと復帰スプリングによって作動距離が制限されるように構成される。すなわち、内側カム１の上方移送によって内径ネジ切りコア１４の拡張力が解除された位置でレールブロック１２がストップリングにかかって内側カム１とともに上方に移送されて被加工物Ａ内から易しく分離される。
【００２３】
図１で、本考案による収縮型コレットコア部２０は拡張型コレットコア部１０と向き合うように取り付けられ、外側カム２に対する傾斜面運動によって収縮して被加工物Ａの外周面に雄ネジ部Ａ２を成形するように構成される。前記収縮型コレットコア部２０は、外側カム２に沿って移送されるレールブロック２２と、被加工物Ａの外周面に押圧されるように円形に配置されて雄ネジ部Ａ２を成形する複数の外径ネジ切りコア２４と、レールブロック２２と外径ネジ切りコア２４を連結する弾性片２６とを含んでなり、外径ネジ切りコア２４の外周面には外側カム２に対して傾斜運動する傾斜面２８を備える。ここで、外径ネジ切りコア２４の内周面には、雄ネジ部Ａ２を成形するための雌ネジ形の型が形成される。
【００２４】
ここで、前記外径ネジ切りコア２４は少なくとも３ヶ所に等間隔で離隔して配置され、それぞれの外径ネジ切りコア２４は弾性片２６によって拡張力を受けるように構成される。よって、被加工物Ａの外周面が収縮型コレットコア部２０の内部に挿入されるときには複数の外径ネジ切りコア２４が弾性的に拡張した状態で収容される。その後、外側カム２が上方に移送されれば、外径ネジ切りコア２４の外周面の傾斜面２８が外側カム２に対して傾斜面運動し、これにより複数の外径ネジ切りコア２４が収縮して被加工物Ａの外周面に押圧されて雄ネジ部Ａ２を成形する。
【００２５】
一方、前記レールブロック２２は外側カム２の内周面に挿入され、復帰スプリングによって上方に弾支されるように構成され、外側カム２による収縮力を受けない区間では常に上方に弾支されることにより、複数の収縮型コレットコア部２０が拡張した状態で待機する。
【００２６】
また、前記拡張型コレットコア部１０の拡張成形力と収縮型コレットコア部２０の収縮成形力が被加工物Ａの内外周面で互いに逆方向に同時に作用して雌雄ネジ部Ａ１、Ａ２をプレス方式で複合成形するように構成される。すなわち、内外側のカム１、２の上下方プレス押圧力によって内外径ネジ切りコア１４、２４が横方向に拡張及び収縮して被加工物Ａの内外周面に同時に押圧される。このとき、内外径ネジ切りコア１４、２４の雌雄ネジ形の型が被加工物Ａを挟んで互いに噛み合う位置で噛み合うことにより、雌雄ネジ部Ａ１、Ａ２を簡単で速やかにプレス成形する。
【００２７】
一例として、前記収縮型コレットコア部２０は、ガイドシャンク２９に支持されて外側カム２に沿って雄ネジ部Ａ２の成形位置まで移動すれば、外側カム２の移送力によって収縮して被加工物Ａの外周面に雄ネジ部Ａ２を成形するように構成される。すなわち、図２（ａ）のように、内側カム１とともに下方に移送した拡張型コレットコア部１０の拡張力によって成形物Ａがクランプされ、ついで、図２（ｂ）のように、ガイドシャンク２９の作動力によって収縮型コレットコア部２０が上方に移送されて外径ネジ切りコア２４の内周面が拡張型コレットコア部１０の内径ネジ切りコア１４と対向する高さに位置すれば、図２（ｃ）のように、内側カム１の下方移送による拡張型コレットコア部１０の拡張成形力と外側カム２の上方移送による収縮型コレットコア部２０の収縮成形力が被加工物Ａの内外周面で互いに逆方向に同時に作用して雌雄ネジ部Ａ１、Ａ２をプレス方式で速やかに複合成形する。その後、図２（ｄ）のように、前記作動の逆順に内外側カム１、２が作動し、拡張型コレットコア部１０は収縮し、 収縮型コレットコア部２０は拡張することにより、雌雄ネジ部Ａ１、Ａ２が成形された被加工物Ａが簡単に取り出される。
【００２８】
他の実施例として、前記外側カム２は固定型として構成され、収縮型コレットコア部２０は内側カム１の移送力によって押圧されて外側カム２の内側に移動することによって収縮力が発生して被加工物Ａの外周面に雄ネジ部Ａ２を成形するように構成される。図３（ａ）のように、内側カム１とともに下方に移送された拡張型コレットコア部１０の拡張力によって成形物Ａがクランプされた状態で内側カム１の底面が収縮型コレットコア部２０のガイドシャンク２９又はレールブロック２２の上面を押圧すれば、図３（ｂ）のように、収縮型コレットコア部２０が下降して傾斜面２８が固定型外側カム２に対して傾斜面運動し、図３（ｃ）のように、内側カム１の下方移送による拡張型コレットコア部１０の拡張成形力と外側カム２の上方移送による収縮型コレットコア部２０の収縮成形力が被加工物Ａの内外周面で互いに逆方向に同時に作用して雌雄ネジ部Ａ１、Ａ２をプレス方式で速やかに複合成形する。その後、図２（ｄ）のように、前記作動の逆順に内外側カム１、２が作動し、拡張型コレットコア部１０は収縮し、 収縮型コレットコア部２０は拡張することにより、雌雄ネジ部Ａ１、Ａ２が成形された被加工物Ａが簡単に取り出される。ここで、前記収縮型コレットコア部２０は固定型外側カム２上で弾性体によって上方に弾支されるように構成される。
【００２９】
また、前記収縮型コレットコア部２０が外側カム２に対する傾斜面運動によって収縮して被加工物Ａの外周面に雄ネジ部Ａ２を成形すれば、外側カム２とともに被加工物Ａの外周面に沿って螺旋運動するように構成される。図２（ｃ）及び図３（ｃ）の段階で収縮型コレットコア部２０が外側カム２とともに螺旋運動する。この際、図４のように、１〜１０°の範囲ａ内で旋回作動する。
【００３０】
したがって、前記収縮型コレットコア部２０の収縮力によって雄ネジ部Ａ２を成形するとき、互いに組み合わせられた複数のネジ切りコア２４間のギャップによって雄ネジ部Ａ２が成形されなかった区間Ａ３が発生しても収縮型コレットコア部２０の螺旋運動によってタッピング作用することにより、雄ネジ部Ａ２の全区間が未成形部なしに精密に成形される利点がある。
【００３１】
一方、前記収縮型コレットコア部２０のそれぞれのネジ切りコア２４は、外側カム２の内周面のキーとキー結合することで、上下方向への移動は許容されるが左右方向への移動は制限されるように構成されることにより、外側カム２上に旋回作動力が加われば、収縮型コレットコア部２０がともに螺旋運動するように構成される。
【産業上の利用可能性】
【００３２】
以上の構造は特にドラム缶栓のネジ成形に有利に活用することができる。
【符号の説明】
【００３３】
１      内側カム
２      外側カム
１０    拡張型コレットコア部
１２    レールブロック
１４    内径ネジ切りコア
１６    弾性片
１８    傾斜面
２０    収縮型コレットコア部
２２    レールブロック
２４    外径ネジ切りコア
２６    弾性片
２８    傾斜面
Ａ      被加工物
Ａ１    雌ネジ部
Ａ２    雄ネジ部
【図１】
0003221080.tif 000003
【図２】
0003221080.tif 000004
【図３】
0003221080.tif 000005
【図４】
0003221080.tif 000006